(57)【特許請求の範囲】
【請求項１】
交流電源からの交流電圧を直流電圧に整流する整流手段、該整流手段に直列に接続されたリアクタ、該リアクタを介して前記交流電源を短絡する短絡手段、および該短絡手段を短絡状態に駆動するための短絡パルスを生成する短絡パルス生成手段を有する電源装置であって、
前記短絡パルスの生成終了時には該短絡パルスの幅を徐々に小さくするように前記短絡パルス生成手段を制御するパルス幅縮小制御手段を有することを特徴とする電源装置。
【請求項２】
交流電源の負荷レベルが前記短絡パルスの生成終了時の負荷レベルよりも小さい所定の負荷レベルより小さい場合には、前記短絡パルスの生成を直ちに終了させるように前記短絡パルス生成手段を制御する即時終了制御手段を有することを特徴とする請求項１記載の電源装置。
【発明の詳細な説明】
【０００１】
【発明の属する技術分野】
本発明は、電源に直列に接続されたリアクタを介して電源を短絡することにより電源力率を改善した電源装置に関し、特に高速動作が可能で制御性に優れた電源装置に関する。
【０００２】
【従来の技術】
電源装置からより多くの有効電力を取り出すには、電源力率を改善することが有効であり、多くの有効電力を負荷の機器に供給することにより機器の最大能力を増大することができる。また、電源力率を改善することにより、近年問題となりつつある電源の高調波電流を低減できる場合が多く、国内外の高調波電流規制にも対応することができる。
【０００３】
電源装置の力率を改善する方法として、従来、例えば特開平７−７９４６号公報に開示されたものがある。この公報は、短絡素子によりリアクタを介して電源を短絡するものであり、具体的には負荷状態、短絡電流、高調波電流含有率、電源力率、波形歪率などに応じてリアクタの短絡開始までの遅延時間および短絡期間を決定している。
【０００４】
【発明が解決しようとする課題】
電源装置の力率を改善する従来の方法では、力率改善動作を開始する場合または力率改善動作を終了する場合の過渡的な状態における短絡パルスの生成について記載されているものはないが、力率改善動作の開始または終了時には振動、出力電圧の急上昇、急低下などを引き起こして動作が不安定となるとともに、また負荷の動作には悪影響を与えるという問題がある。
【０００５】
本発明は、上記に鑑みてなされたもので、その目的とするところは、力率改善動作の開始または終了時における動作を安定化し、信頼性を向上した電源装置を提供することにある。
【００１０】
【課題を解決するための手段】
上記目的を達成するため、請求項１記載の本発明は、交流電源からの交流電圧を直流電圧に整流する整流手段、該整流手段に直列に接続されたリアクタ、該リアクタを介して前記交流電源を短絡する短絡手段、および該短絡手段を短絡状態に駆動するための短絡パルスを生成する短絡パルス生成手段を有する電源装置であって、前記短絡パルスの生成終了時には該短絡パルスの幅を徐々に小さくするように前記短絡パルス生成手段を制御するパルス幅縮小制御手段を有することを要旨とする。
【００１１】
請求項１記載の本発明にあっては、短絡パルスの生成終了時には短絡パルスの幅を徐々に小さくしているので、直流出力電圧の急上昇、電源電流や直流出力電圧の急変を防止し、安定な動作を行うことができる。
【００１２】
請求項２記載の本発明は、請求項１記載の発明において、交流電源の負荷レベルが前記短絡パルスの生成終了時の負荷レベルよりも小さい所定の負荷レベルより小さい場合には、前記短絡パルスの生成を直ちに終了させるように前記短絡パルス生成手段を制御する即時終了制御手段を有することを要旨とする。
【００１３】
請求項２記載の本発明にあっては、負荷レベルが前記所定の負荷レベルより小さい場合には、短絡パルスの生成を直ちに終了させるため、急激な直流出力電圧の上昇を防止し、負荷を過電圧から保護することができる。
【００１４】
【発明の実施の形態】
以下、図面を用いて本発明の実施の形態について説明する。
【００１５】
図１は、本発明の第１の実施形態に係わる電源装置の回路構成を示す図である。同図に示す電源装置は、交流電源１の一方の出力端に一端が接続されたリアクタ２を有し、該リアクタ２の他端は全波整流器を構成している第１のダイオードブリッジ３および電流の方向を揃えている第２のダイオードブリッジ９のそれぞれの一方の入力端に接続されている。第１および第２のダイオードブリッジ３および９のそれぞれの他方の入力端は交流電源１の他方の出力端に接続されている。
【００１６】
第１のダイオードブリッジ３の出力端は平滑用電解コンデンサ４，５，６を介して負荷７に接続され、これにより交流電源１からの交流電圧は第１のダイオードブリッジ３および平滑用電解コンデンサ４，５，６により倍電圧整流され、直流電圧として負荷７に供給されるようになっている。
【００１７】
第２のダイオードブリッジ９の両出力端は、例えばＩＧＢＴ、バイポーラトランジスタ、ＭＯＳＦＥＴ等からなるスイッチング素子である短絡素子１０のコレクタおよびエミッタ間に接続され、該短絡素子１０がオンした場合に、第２のダイオードブリッジ９およびリアクタ２を介して交流電源１を短絡し、これにより電源装置の電源力率を改善しうるようになっている。短絡素子１０のゲートは力率改善制御手段１３に接続され、該力率改善制御手段１３によって短絡素子１０が駆動されることにより短絡素子１０はオンするようになっている。
【００１８】
また、交流電源１の両出力端にはゼロクロス検出手段１２が接続され、ゼロクロス検出手段１２は交流電源１の交流電圧がゼロクロス点を通過する時点を検出し、この検出信号を力率改善制御手段１３に供給するようになっている。ゼロクロス検出手段１２および力率改善制御手段１３により制御回路１１が構成されるが、該制御回路１１は例えばマイクロコンピュータなどで構成される。また、力率改善制御手段１３には電源装置の負荷レベルが入力されるようになっている。
【００１９】
図２は、本発明の第２の実施形態に係わる電源装置の回路構成を示す図である。同図に示す電源装置は、交流電源１の交流電圧を全波整流する第１のダイオードブリッジ３の一方の出力端にリアクタ２の一端を接続し、該リアクタ２の他端と第１のダイオードブリッジ３の他方の出力端との間にスイッチングトランジスタからなる短絡素子１０のコレクタおよびエミッタを接続し、該短絡素子１０がオンした場合、リアクタ２および第１のダイオードブリッジ３を介して交流電源１を短絡するように構成している。また、リアクタ２の他端は逆流防止用のダイオード１５を介して平滑用電解コンデンサ６および負荷７に接続されている。ダイオード１５は短絡素子１０がオンしてリアクタ２および第１のダイオードブリッジ３を介して交流電源１を短絡した場合に、コンデンサ６が短絡されないように作用している。
【００２０】
また、図１の電源装置と同様に、交流電源１にはゼロクロス検出手段１２が接続され、短絡素子１０のゲートには力率改善制御手段１３が接続されており、これらのゼロクロス検出手段１２および力率改善制御手段１３は図１に示すものと同じ機能、構成を有するものである。
【００２１】
図３は、上述した図１および図２にそれぞれ示した電源装置の動作原理をわかりやすく説明するための機能構成図であり、特に制御回路１１の内部構成を示している。図３に示すように、図１および図２の電源装置の制御回路１１はゼロクロス検出手段１２および力率改善制御手段１３から構成されているが、力率改善制御手段１３は負荷レベルを判定する負荷レベル判定手段３１と、力率改善動作の開始時および終了時の処理を制御する開始・終了処理手段３２と、定常の力率改善処理を行う定常処理手段３３とを有し、該定常処理手段３３から前記短絡素子１０に短絡パルスが供給されるようになっている。
【００２２】
次に、図４を参照して、図１，２に示す第１および第２の実施形態の電源装置の作用を説明する。なお、図４において、２１は交流電源１の交流電圧の波形であり、２２は力率改善制御手段１３から短絡素子１０に供給される短絡パルスの波形であり、２３は力率改善制御手段１３に供給される負荷レベルをアナログ値として示しているものである。
【００２３】
交流電源１から図４の２１で示すような正弦波波形の交流電圧が入力されると、この交流電圧は図１ではリアクタ２を介して第１のダイオードブリッジ３およびコンデンサ４，５，６からなる倍電圧整流回路に供給されて直流電圧に変換され、負荷７に供給される。また、図２では、交流電源１からの交流電圧は第１のダイオードブリッジ３で全波整流されてから、リアクタ２およびダイオード１５を介してコンデンサ６で平滑され、直流電圧として負荷７に供給される。また、この場合に、ゼロクロス検出手段１２は、交流電源１からの交流電圧を監視して、そのゼロクロス点を検出すると、この検出信号を力率改善制御手段１３に供給するようになっている。
【００２４】
このように直流電圧が負荷７に供給されている状態において、図４の符号２３で示すような負荷レベルが力率改善制御手段１３の負荷レベル判定手段３１に供給される。負荷レベル判定手段３１は、負荷レベルを第１の所定の負荷レベルＡと比較し、負荷レベルが第１の所定の負荷レベルＡより大きくなると、開始・終了処理手段３２を駆動し、開始・終了処理手段３２の制御により定常処理手段３３から図４の２２で示すような短絡パルスをゼロクロス検出手段１２からのゼロクロス点検出信号に応じて生成し、該短絡パルスを短絡素子１０に供給する。
【００２５】
短絡パルス２２が短絡素子１０に供給されると、短絡素子１０は短絡パルス２２に応じてオン状態になり、これにより図１においては第２のダイオードブリッジ９およびリアクタ２を介して交流電源１を短絡し、また図２においてはリアクタ２および第１のダイオードブリッジ３を介して交流電源１を短絡し、また短絡パルスがなくなって短絡素子１０がオフ状態に開放されると、リアクタ２に蓄積されたエネルギが負荷側に放出される。このようにリアクタ２を介して交流電源１を短絡することにより、従来電流の流れていなかった電源の位相区間にも電源電流が流れて、電流の導通時間を拡大し、これにより電源力率を改善することができる。
【００２６】
また、負荷レベル判定手段３１は負荷レベルを監視していて、該負荷レベルが図４に示すように第２の所定の負荷レベルＢより小さくなると、開始・終了処理手段３２を駆動し、開始・終了処理手段３２の制御により定常処理手段３３からの短絡パルスの生成を停止し、これにより力率改善処理を終了する。
【００２７】
このように本実施形態では、負荷レベルを監視し、負荷レベルが小さい場合には、力率改善処理を行わないようにしているが、これは、負荷レベルが小さい場合に力率改善動作を行ったとしても、力率改善効果が少なく、むしろ逆に電流波形が歪んで悪影響が出る場合もあるということを防止しているものである。
【００２８】
なお、上述した処理において、第１の所定の負荷レベルＡを第２の所定の負荷レベルＢよりも大きく設定することにより（Ａ＞Ｂ）、力率改善処理の開始と終了との切り替わるタイミングでの力率改善動作の発振を防止することができる。この場合のヒステリシス幅の設定は、負荷の特性、電源装置の昇圧特性、電源装置や負荷の応答時間などから負荷を安定に動作させることができるように行われる。電源装置の構成によっては、第２の所定の負荷レベルＢをほぼ０に設定する場合もあり、このような場合にも十分に効果を発揮することができる。
【００２９】
本発明の力率改善機能を有する電源装置は、昇圧機能を有しており、力率改善処理を行うと、力率改善を行う直前の状態に比べて、電源装置の直流出力電圧が上昇し、電源電流の実効値が低下する。このため、負荷が電動機などの場合には、ヒステリシスがないと、電動機の速度が振動して不安定な動作となり、場合によっては停止してしまうことがある。しかしながら、本発明の電源装置では、力率改善処理の開始と終了との切り替わりの近辺の負荷レベルでは力率改善動作が頻繁に切り替わることがないため、直流出力電圧が振動したり、電源装置の電源電流や直流出力電圧が振動することはなく、力率改善を行っても直流出力電圧は徐々に上昇し、常に安定な動作を継続的に行うことができる。
【００３０】
なお、上記各実施形態において、負荷レベルとしては、具体的には電源電流、負荷電流、出力電流、力率、高調波電流、歪率、負荷の制御パラメータ、負荷から検出される例えば回転数、速度、温度、湿度、圧力、重さなどのような負荷の大きさを判定できるような種々のパラメータを利用することができる。
【００３１】
次に、図５ないし図７を参照して、本発明の第３の実施形態に係わる電源装置について説明する。
【００３２】
図５は、第３の実施形態の電源装置の動作原理をわかりやすく説明するための要部の機能構成図であり、その具体的回路構成は図１および図２に示すいずれの回路構成の電源装置でも同様に実施し得るものである。なお、図１および図２に示す電源装置の回路構成については既に詳述したので、図５を参照して、第３の実施形態の動作について説明する。
【００３３】
第３の実施形態の電源装置は、図５に示すように、力率改善制御手段１３の構成が図３に示した第１および第２の実施形態のものと異なり、その他の構成および作用は図３のものと同じである。
【００３４】
すなわち、図５に示す力率改善制御手段１３は、負荷レベルを判定する負荷レベル判定手段３１と、力率改善動作の開始時の処理を制御する開始処理手段３４と、定常の力率改善処理を行う定常処理手段３３とから構成され、図３における開始・終了処理手段３２の代わりに開始処理手段３４が設けられたものである。
【００３５】
開始処理手段３４は、短絡パルスを短絡素子１０に供給開始する場合に、パルス幅が図６の２４で示すように小さいパルス幅から大きいパルス幅へ徐々に拡大するような短絡パルス２４を発生するものである。なお、図６において、２１は交流電源１の交流電圧の波形を示し、２４はパルス幅が徐々に大きく変化する短絡パルスの波形を示し、２５は負荷レベルをアナログ値として示している。
【００３６】
図７は、上述したようにパルス幅が徐々に増大する短絡パルス２４に対応して変化する本電源装置の直流出力電圧を実線によって符号４２で示すとともに、従来の定常処理のみを行った場合の直流出力電圧の変化を点線によって符号４１で示している。図７に示すように、本実施形態のように短絡パルスの幅を徐々に大きくしていくことにより、直流出力電圧は徐々に増大していくのに対して、従来のようにパルス幅を徐々に増大することなく、定常処理から急に通常のパルス幅の短絡パルスを供給した場合には、直流出力電圧が急に上昇していることがわかる。
【００３７】
更に詳しく説明すると、図５に示す第３の実施形態では、負荷レベル判定手段３１が電源装置の負荷レベルを監視して、該負荷レベルが所定の力率改善レベルより大きくなって、力率改善処理の開始時になったことを検出すると、開始処理手段３４を駆動して、図６の２４で示すようにパルス幅が徐々に大きく変化する短絡パルスを生成させ、この短絡パルスで短絡素子１０を駆動し、これによりリアクタ２を介して交流電源１を短絡し、力率改善処理を開始する。
【００３８】
そして、短絡パルスのパルス幅が徐々に大きくなり、定常処理手段３３で元来出力されるパルス幅と同等になった時点で、負荷レベル判定手段３１は開始処理手段３４の代わりに定常処理手段３３を駆動し、定常処理手段３３から定常状態の所定のパルス幅の短絡パルスを生成させ、この定常状態の短絡パルスで短絡素子１０を駆動して、定常状態の力率改善処理を行う。なお、図６では、簡単化のため、短絡パルスの数を少なくして示している。
【００３９】
なお、短絡パルスのパルス幅を徐々に増大していく速度は、負荷の特性、電源装置の昇圧特性、電源装置や負荷の応答時間などから安定に動作させることができる値に設定される。具体的には、短絡パルスは、例えば１μＳ／１０ｍＳないし５０μＳ／１０ｍＳ前後あるいはそれより遅い速度で１パルス毎にパルス幅が増大される。なお、１０ｍＳは交流電源１の周波数が５０Ｈｚの場合には交流電源１の周期の１／２である。
【００４０】
本発明の力率改善機能を有する電源装置は、昇圧機能を有しており、力率改善処理を行うと、力率改善を行う直前の状態に比べて、電源装置の直流出力電圧が上昇し、電源電流の実効値が低下する。力率改善のための短絡パルスを従来のように所定のパルス幅で直ちに出力すると、直流出力電圧が急上昇し、負荷電流が急に低下する。このため、負荷が電動機などの場合には、速度が急上昇して不安定な動作となり、場合によっては停止してしまうことがある。しかしながら、本発明の電源装置では、力率改善用の短絡パルスの幅が徐々に増大していくため、直流出力電圧が急上昇したり、電源電流や直流出力電圧が急変することはなく、力率改善動作を開始しても常に安定な動作を継続的に行うことができる。
【００４１】
なお、本実施形態では、負荷レベル判定手段３１で負荷レベルを監視し、負荷レベルが所定のレベルを超えた場合に短絡パルスを生成して、力率改善動作を行い、負荷レベルが小さい場合には、力率改善処理を行わないようにしているが、これは、負荷レベルが小さい場合に力率改善動作を行ったとしても、力率改善効果が少なく、むしろ逆に電流波形が歪んで悪影響が出る場合もあるということを防止しているものである。しかしながら、負荷レベルがほぼ０の状態から短絡パルスを生成したり（この場合には短絡パルスは力率改善に効果がないほどパルス幅の短いものでもよい）、電源装置の起動と同時に短絡パルスを出力する場合にも本実施形態は同様な効果を発揮し得ることは明らかである。
【００４２】
次に、図８ないし図１０を参照して、本発明の第４の実施形態に係わる電源装置について説明する。
【００４３】
図８は、第４の実施形態の電源装置の動作原理をわかりやすく説明するための要部の機能構成図であり、その具体的回路構成は図１および図２に示すいずれの回路構成の電源装置でも同様に実施し得るものである。なお、図１および図２に示す電源装置の回路構成については既に詳述したので、図８を参照して、第４の実施形態の動作について説明する。
【００４４】
第４の実施形態の電源装置は、図８に示すように、力率改善制御手段１３の構成が図５に示した第３の実施形態のものと異なり、その他の構成および作用は図５のものと同じである。
【００４５】
すなわち、図８に示す力率改善制御手段１３は、負荷レベルを判定する負荷レベル判定手段３１と、力率改善動作の終了時の処理を制御する終了処理手段３５と、定常の力率改善処理を行う定常処理手段３３とから構成され、図５における開始処理手段３４の代わりに終了処理手段３５が設けられたものである。
【００４６】
終了処理手段３５は、短絡素子１０に供給していた短絡パルスの生成終了時に、すなわち力率改善処理の終了時に、パルス幅が図９の２６で示すように定常処理時の大きいパルス幅から小さいパルス幅へ徐々に縮小するような短絡パルス２６を生成するものである。なお、図９において、２１は交流電源１の交流電圧の波形を示し、２６はパルス幅が徐々に小さく変化する短絡パルスの波形を示し、２７は負荷レベルをアナログ値として示している。
【００４７】
図１０は、上述したようにパルス幅が徐々に小さく変化する短絡パルス２６に対応して変化する本電源装置の直流出力電圧を実線によって符号４４で示すとともに、従来の定常処理のみを行った場合の直流出力電圧の変化を点線によって符号４３で点線で示している。図１０に示すように、本実施形態のように短絡パルスの幅を徐々に小さくしていくことにより、直流出力電圧は徐々に低減していくのに対して、従来のようにパルス幅を徐々に小さくすることなく、定常処理から急に短絡パルスの供給を停止した場合には、直流出力電圧が急に低減することがわかる。
【００４８】
更に詳しく説明すると、図８に示す第４の実施形態では、負荷レベル判定手段３１が電源装置の負荷レベル２７を監視して、該負荷レベルが所定のレベルより小さくなったことを検出すると、終了処理手段３５を駆動して、図９の２６で示すようにパルス幅が徐々に小さく変化する短絡パルスを生成させ、この小さくなっていく短絡パルスで短絡素子１０を駆動し、これによりリアクタ２を介して交流電源１を短絡する。そして、短絡パルスのパルス幅がほぼ０になった時点で、短絡パルスの生成を終了し、力率改善処理を終了する。なお、図８では、簡単化のため、短絡パルスの数を少なくして示している。
【００４９】
なお、短絡パルスのパルス幅を徐々に小さくしていく速度は、負荷の特性、電源装置の昇圧特性、電源装置や負荷の応答時間などから安定に動作させることができる値に設定される。具体的には、短絡パルスは、例えば１μＳ／１０ｍＳないし５０μＳ／１０ｍＳ前後あるいはそれより遅い速度で１パルス毎にパルス幅が小さくされる。
【００５０】
本発明の力率改善機能を有する電源装置は、昇圧機能を有しており、力率改善処理を中止すると、力率改善を行う直前の状態に比べて、直流出力電圧が下降し、電源電流が上昇する。このため、負荷が電動機などの場合には、速度が急低下して不安定な動作となり、場合によっては停止してしまうことがある。しかしながら、本発明の電源装置では、力率改善用の短絡パルスの幅が徐々に小さくなっていくため、直流出力電圧が急上昇したり、電源電流や直流出力電圧が急変することはなく、力率改善動作を終了しても、直流出力電圧は徐々に低下していき、常に安定な動作を継続的に行うことができる。
【００５１】
なお、本実施形態では、負荷レベル判定手段３１で負荷レベルを監視し、負荷レベルが小さい場合には、短絡パルスを出力せず、従って力率改善処理を行わないようにしているが、これは、負荷レベルが小さい場合に力率改善動作を行ったとしても、力率改善効果が少なく、むしろ逆に電流波形が歪んで悪影響が出る場合もあるということを防止しているものである。しかしながら、負荷レベルがほぼ０の状態になった時に、本実施形態のような処理を行っても同様な効果を発揮し得ることは明らかである。
【００５２】
次に、図１１および図１２を参照して、本発明の第５の実施形態に係わる電源装置について説明する。
【００５３】
図１１は、第５の実施形態の電源装置の動作原理をわかりやすく説明するための要部の機能構成図であり、その具体的回路構成は図１および図２に示すいずれの回路構成の電源装置でも同様に実施し得るものである。なお、図１および図２に示す電源装置の回路構成については既に詳述したので、図１１を参照して、第５の実施形態の動作について説明する。
【００５４】
第５の実施形態の電源装置は、図１１に示すように、力率改善制御手段１３の構成が図８に示した第４の実施形態において緊急停止処理手段３６を追加した点が異なり、その他の構成および作用は図８のものと同じである。
【００５５】
すなわち、図１１において、新たに追加された緊急停止処理手段３６は、終了処理手段３５により短絡パルスのパルス幅を徐々に小さくしていく力率改善処理の終了時において、負荷レベルが突然急激に低下し、所定のレベルよりも小さくなった場合に、短絡パルスの生成を停止し、力率改善処理を急激に停止させるように作用するものである。
【００５６】
図１２は、この様子を示しているが、同図において、２１は交流電源１の交流電圧の波形を示し、２８は力率改善終了時にパルス幅が徐々に小さく変化する短絡パルスの波形を示し、２９は負荷レベルをアナログ値として示し、この負荷レベル２９は途中で急激に低下し、所定の負荷レベルＣよりも小さいレベルに低減していることが示されている。
【００５７】
更に詳しく説明すると、図１１に示す第５の実施形態では、負荷レベル判定手段３１が電源装置の負荷レベル２９（図１２）を監視して、該負荷レベルが所定のレベルより小さくなったことを検出すると、終了処理手段３５を駆動して、図１１の２８で示すようにパルス幅が徐々に小さく変化する短絡パルスを生成させ、この小さくなっていく短絡パルスで短絡素子１０を駆動し、これによりリアクタ２を介して交流電源１を短絡する。
【００５８】
そして、この動作の途中において、負荷レベルが図１２の２９で示すように突然急激に低下し、所定の負荷レベルＣよりも小さいレベル以下になると、負荷レベル判定手段３１はこの負荷レベル２９の急激な低下を検出し、これにより緊急停止処理手段３６を駆動する。この結果、緊急停止処理手段３６は終了処理手段３５による短絡パルスの生成を停止するように終了処理手段３５を制御し、これにより力率改善動作を終了させる。
【００５９】
前記所定の負荷レベルＣは、負荷の電圧許容範囲、電源回路の昇圧特性、電源回路や負荷の応答時間などから負荷を保護できる値に設定される。このような処理の結果、異常な直流電圧の上昇を防止し、負荷を過電圧から保護することが可能であり、より信頼性の高い電源装置が実現できる。
【００６０】
なお、上記各実施形態において、リアクタ、短絡回路、コンデンサ、整流回路などの各構成要素の接続位置を入れ替えても同様の力率改善機能および同様な効果を有する電源装置を構成することができるものであり、本発明はこのように入れ替え変更された種々の電源装置にも同様に適用し得るものである。
【００６１】
また、上記各実施形態では、短絡パルスの数はすべて１つの場合について説明したが、２つ以上の複数の短絡パルスを使用しても、本発明と同様な効果を達成することができるものである。例えば、短絡パルスの数が２つである場合には、２つの短絡パルスの幅を同時に広げたり、狭めたりする方法や、２つの短絡パルスのうちの１つの短絡パルスの幅を広げたり、狭めたりした後に、他方の短絡パルスの幅を広げたり、狭めるという方法が考えられる。
【００６２】
【発明の効果】
以上説明したように、請求項１記載の本発明によれば、短絡パルスの生成終了時には短絡パルスの幅を徐々に小さくしているので、直流出力電圧の急上昇、電源電流や直流出力電圧の急変を防止し、安定な動作を行うことができる。
【００６５】
請求項２記載の本発明によれば、短絡パルスの生成終了時に負荷レベルが第３の所定の負荷レベルより小さい場合には、短絡パルスの生成を直ちに終了させるので、急激な直流出力電圧の上昇を防止し、負荷を過電圧から保護することができる。
【図面の簡単な説明】
【図１】本発明の第１の実施形態に係わる電源装置の回路構成を示す図である。
【図２】本発明の第２の実施形態に係わる電源装置の回路構成を示す図である。
【図３】図１および図２にそれぞれ示した電源装置の動作原理をわかりやすく説明するための機能構成図である。
【図４】図１，２に示した第１および第２の実施形態の電源装置の作用を説明するための動作波形図である。
【図５】本発明の第３の実施形態の電源装置の動作原理をわかりやすく説明するための要部の機能構成図である。
【図６】図５に示す電源装置の作用を説明するための動作波形図である。
【図７】図５に示す電源装置の作用を説明するための動作波形図である。
【図８】本発明の第４の実施形態の電源装置の動作原理をわかりやすく説明するための要部の機能構成図である。
【図９】図８に示す電源装置の作用を説明するための動作波形図である。
【図１０】図８に示す電源装置の作用を説明するための動作波形図である。
【図１１】本発明の第５の実施形態の電源装置の動作原理をわかりやすく説明するための要部の機能構成図である。
【図１２】図１１に示す電源装置の作用を説明するための動作波形図である。
【符号の説明】
１  交流電源
２  リアクタ
３  第１のダイオードブリッジ
４，５，６  コンデンサ
７  負荷
９  第２のダイオードブリッジ
１０  短絡素子
１１  制御回路
１２  ゼロクロス検出手段
１３  力率改善制御手段
３１  負荷レベル判定手段
３２  開始・終了処理手段
３３  定常処理手段
３４  開始処理手段
３５  終了処理手段
３６  緊急停止処理手段
【図１】
0003753823.tif 000002
【図２】
0003753823.tif 000003
【図３】
0003753823.tif 000004
【図４】
0003753823.tif 000005
【図５】
0003753823.tif 000006
【図６】
0003753823.tif 000007
【図７】
0003753823.tif 000008
【図８】
0003753823.tif 000009
【図９】
0003753823.tif 000010
【図１０】
0003753823.tif 000011
【図１１】
0003753823.tif 000012
【図１２】
0003753823.tif 000013